(57)【要約】【課題】基板の機能性を維持しながら、貼り合わされる複数の素子の機能面の間の距離を短縮する。【解決手段】表示装置は、表示領域ならびに該表示領域から張り出した端子領域に対応する第１の端子基板、および上記表示領域に対応する第１の対向基板を含む第１の表示素子と、上記表示領域ならびに上記端子領域に対応する第２の端子基板、および上記表示領域に対応する第２の対向基板を含む第２の表示素子とを有し、上記第１表示素子および上記第２の表示素子は、上記第１の端子基板および上記第２の端子基板がいずれも貼り合わせ面の反対側になるように貼り合わされる。【選択図】図５
2013182186.tif 000002
【特許請求の範囲】
【請求項１】
表示領域ならびに該表示領域から張り出した端子領域に対応する第１の端子基板、および前記表示領域に対応する第１の対向基板を含む第１の表示素子と、
前記表示領域ならびに前記端子領域に対応する第２の端子基板、および前記表示領域に対応する第２の対向基板を含む第２の表示素子と
を備え、
前記第１の表示素子および前記第２の表示素子は、前記第１の端子基板および前記第２の端子基板がいずれも貼り合わせ面の反対側になるように貼り合わされる表示装置。
【請求項２】
前記第１の端子基板は、前記端子領域に対応する部分の前記張り合わせ面側に回路部品を有する、請求項１に記載の表示装置。
【請求項３】
前記第１の表示素子は、画像を表示する表示部として機能し、
前記第２の表示素子は、光を空間的に分離させることによって前記表示部に表示される画像を分割する光分離部として機能する、請求項２に記載の表示装置。
【請求項４】
前記第１の表示素子は、ＬＣＤ（Liquid  Crystal  Display）である、請求項３に記載の表示装置。
【請求項５】
前記第２の表示素子は、液晶レンズである、請求項３に記載の表示装置。
【請求項６】
前記第２の表示素子は、パララックスバリアである、請求項３に記載の表示装置。
【請求項７】
前記第１の対向基板は、前記第１の端子基板よりも薄い、請求項１に記載の表示装置。
【請求項８】
前記第２の対向基板は、前記第２の端子基板よりも薄い、請求項１に記載の表示装置。
【請求項９】
表示領域ならびに該表示領域から張り出した端子領域に対応する第１の端子基板、および前記表示領域に対応する第１の対向基板を含む第１の表示素子と、
前記表示領域ならびに前記端子領域に対応する第２の端子基板、および前記表示領域に対応する第２の対向基板を含む第２の表示素子と
を有し、
前記第１の表示素子および前記第２の表示素子は、前記第１の端子基板および前記第２の端子基板がいずれも貼り合わせ面の反対側になるように貼り合わされる表示装置
を備える電子機器。
【請求項１０】
機能領域ならびに該機能領域から張り出した端子領域に対応する第１の端子基板、および前記機能領域に対応する第１の対向基板を含む第１の素子と、
前記機能領域ならびに前記端子領域に対応する第２の端子基板、および前記機能領域に対応する第２の対向基板を含む第２の素子とが、前記第１の端子基板および前記第２の端子基板がいずれも貼り合わせ面の反対側になるように貼り合わされる貼り合わせ構造。
【発明の詳細な説明】
【技術分野】
【０００１】
本開示は、表示装置、電子機器および貼り合わせ構造に関する。
【背景技術】
【０００２】
パララックスバリアやレンチキュラレンズなどを用いて光を空間的に分離し、表示部に表示される画像を複数の視点画像に分割して観察者に呈示する技術が知られている。かかる技術は、例えば、観察者の左右の眼に視差を与えた画像を呈示する立体表示装置や、観察方向によって異なる画像を表示する指向性表示装置などに利用されている。
【０００３】
上記の技術において、光を空間的に分離する部分（以下、光分離部ともいう）を電子的に発生させることも可能である。例えば、特許文献１には、パララックスバリアの透過部分および遮光部分のストライプを、透過型液晶表示素子を用いて発生させる技術が記載されている。この技術では、例えば特許文献１の第９図に示されるように、表示部およびパララックスバリアとしてそれぞれ機能する２つの液晶表示素子が貼り合わされる。
【先行技術文献】
【特許文献】
【０００４】
【特許文献１】特開平３−１１９８８９号公報
【発明の概要】
【発明が解決しようとする課題】
【０００５】
近年、表示装置の高精細化が進められている。上記のような立体表示装置や指向性表示装置を高精細化する場合、例えば、より細かい幅で画像が視点画像に分割される。この場合、パララックスバリアのバリアピッチや、レンチキュラレンズのレンズ径がより小さくなる。それに伴って、表示装置における光分離部（パララックスバリアやレンチキュラレンズなど）と表示部との間の距離を狭めることが求められる。
【０００６】
これはつまり、上記の特許文献１に記載のように光分離部を電子的に発生させる場合には、それぞれが表示部およびパララックスバリアとして機能する２つの表示素子の機能面の間の距離を短縮するということである。しかしながら、このように表示素子の機能面の間の距離を短縮するための技術は、これまでに十分に提案されてきたとは言いがたい。
【０００７】
そこで、本開示では、基板の機能性を維持しながら、貼り合わされる複数の素子の機能面の間の距離を短縮することが可能な、新規かつ改良された表示装置、電子機器および貼り合わせ構造を提案する。
【課題を解決するための手段】
【０００８】
本開示によれば、表示領域ならびに該表示領域から張り出した端子領域に対応する第１の端子基板、および上記表示領域に対応する第１の対向基板を含む第１の表示素子と、上記表示領域ならびに上記端子領域に対応する第２の端子基板、および上記表示領域に対応する第２の対向基板を含む第２の表示素子とを有し、上記第１表示素子および上記第２の表示素子は、上記第１の端子基板および上記第２の端子基板がいずれも貼り合わせ面の反対側になるように貼り合わされる表示装置が提供される。
【０００９】
また、本開示によれば、表示領域ならびに該表示領域から張り出した端子領域に対応する第１の端子基板、および上記表示領域に対応する第１の対向基板を含む第１の表示素子と、上記表示領域ならびに上記端子領域に対応する第２の端子基板、および上記表示領域に対応する第２の対向基板を含む第２の表示素子とを有し、上記第１表示素子および上記第２の表示素子は、上記第１の端子基板および上記第２の端子基板がいずれも貼り合わせ面の反対側になるように貼り合わされる表示装置を含む電子機器が提供される。
【００１０】
さらに、本開示によれば、機能領域ならびに該機能領域から張り出した端子領域に対応する第１の端子基板、および上記機能領域に対応する第１の対向基板を含む第１の素子と、上記機能領域ならびに上記端子領域に対応する第２の端子基板、および上記機能領域に対応する第２の対向基板を含む第２の素子とが、上記第１の端子基板および上記第２の端子基板がいずれも貼り合わせ面の反対側になるように貼り合わされる貼り合わせ構造が提供される。
【００１１】
貼り合わされるそれぞれの素子で、機能領域から張り出した端子領域を有する端子基板を貼り合わせ面の反対側に配置することによって、素子の機能面の間の距離を短縮するに際して必ずしも端子基板を薄型化しなくてよい。これによって、例えば、端子基板の強度を確保しつつ、機能面の間の距離を短縮することが可能である。また、例えば、端子基板上に回路部品が形成されるような場合にも、端子基板同士の間隔を十分に確保することが可能である。
【発明の効果】
【００１２】
以上説明したように本開示によれば、基板の機能性を維持しながら、貼り合わされる複数の素子の機能面の間の距離を短縮することができる。
【図面の簡単な説明】
【００１３】
【図１】表示装置の概略的な構成を示す図である。
【図２】基板の薄型化がされていない表示装置を示す図である。
【図３】図２に示す表示装置における基板の薄型化の第１の試行例を示す図である。
【図４】図２に示す表示装置における基板の薄型化の第２の試行例を示す図である。
【図５】本開示の実施形態に係る表示装置の第１の例を示す図である。
【図６】本開示の実施形態に係る表示装置の第２の例を示す図である。
【図７】本開示の実施形態に係る表示装置の第３の例を示す図である。
【図８】本開示の実施形態に係る電子機器の構成を示す概略的なブロック図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
なお、説明は以下の順序で行うものとする。
１．表示装置の構成例
２．基板薄型化のための試行例
３．本開示の実施形態
４．本開示の他の実施形態
５．補足
【００１６】
（１．表示装置の構成例）
まず、図１を参照して、表示装置の構成例について説明する。
【００１７】
図１は、表示装置の概略的な構成を示す図である。図１を参照すると、表示装置１００は、バックライト１１０と、ＬＣＤ（Liquid  Crystal  Display）１２０と、液晶レンズ１３０とを含む。表示装置１００は、視差を有する視点画像を観察者の左右の眼に呈示する立体表示装置である。なお、表示装置１００の構成は、例えば、位置が異なる複数の観察者にそれぞれ異なる視点画像を呈示する指向性表示装置にも容易に応用することが可能である。つまり、以下で説明する立体表示装置に係る実施形態と同様にして、指向性表示装置に係る実施形態も実現することが可能である。
【００１８】
バックライト１１０は、ＬＣＤ１２０に光を照射する光源部である。バックライト１１０では、発光素子として例えば冷陰極管（ＣＣＦＬ：Cold  Cathode  Fluorescent  Lamp）またはＬＥＤ（Light  Emitting  Diode）などが用いられる。
【００１９】
ＬＣＤ１２０は、偏光板１２１，１２６と、端子基板１２２と、液晶層１２３と、カラーフィルタ１２４と、対向基板１２５とを含む。端子基板１２２上には、ＴＦＴ（Thin  Film  Transistor）と透明な画素電極とが配置され、カラーフィルタ１２４側に形成された透明な共通電極との間で液晶層１２３に電圧を印加する。ＬＣＤ１２０は、このようにして、カラーフィルタ１２４に配置された各色に対応する領域ごとにバックライトからの光の透過を制御し、画素を構成する各色の発色を制御してカラー画像を表示する。
【００２０】
液晶レンズ１３０は、端子基板１３１と、液晶層１３２と、対向基板１３３とを含む。端子基板１３１上に配置された透明電極は、対向基板１３３側に配置された透明電極との間で液晶層１３２に電圧を印加して、液晶層１３２の光の屈折率を領域ごとに変化させる。これによって、液晶層１３２には等価的にレンチキュラレンズと同様のレンズ効果が発生し、ＬＣＤ１２０に表示される画像が立体画像の表示のための２つの視点画像に分割される。
【００２１】
（レンズ径と焦点距離との関係）
以上で説明した表示装置１００におけるレンズ径ｄと焦点距離ｆとの関係について、引き続き図１を参照して説明する。上述のように、立体表示装置を高精細化する場合、より細かい幅で画像が視点画像に分割される。従って、表示装置１００を高精細化する場合、液晶レンズ１３０が等価的に実現するレンズ（以下、単にレンズともいう）のレンズ径ｄがより小さくなる。
【００２２】
一方、レンズの焦点距離ｆは、レンズ径ｄ、レンズから観察者までの適視距離ｖおよび観察者の眼間距離ｉによって決まる。適視距離ｖおよび眼間距離ｉがレンズ径ｄに関わらず一定であるものとすると、焦点距離ｆは、レンズ径ｄが小さくなるにつれて短くなる。一例として、レンズ径ｄが２００μｍの場合の焦点距離ｆが約７００μｍであるのに対し、レンズ径ｄが１４０μｍの場合の焦点距離ｆは約５００μｍである。このように、表示装置１００を高精細化する場合、レンズ径ｄが小さくなるのに伴って、焦点距離ｆも小さくなる。
【００２３】
表示装置１００は、液晶レンズ１３０が等価的に実現するレンズの焦点が、ＬＣＤ１２０の表示面にほぼ一致するように設計される。つまり、液晶レンズ１３０が等価的に実現するレンズの主点が位置する面（以下、液晶レンズ１３０のレンズ機能面ともいう）からＬＣＤ１２０の表示面までの距離が、焦点距離ｆにほぼ等しくなるように設計される。
【００２４】
ここで、レンズ機能面は、液晶レンズ１３０の液晶層１３２に対応する。つまり、レンズ機能面は、端子基板１３１と対向基板１３３との間に位置する。また、表示面は、ＬＣＤ１２０の液晶層１２３またはカラーフィルタ１２４に対応する。つまり、表示面は、端子基板１２２と対向基板１２５との間に位置する。従って、表示装置１００を高精細化する場合、焦点距離ｆが短くなる結果、レンズ機能面と表示面との間に介在する対向基板１２５および端子基板１３１の一方または両方を薄型化して、レンズ機能面と表示面との間の距離を短縮することが必要になる。
【００２５】
以上、表示装置１００の構成について、各構成要素の機能を中心に説明した。なお、以下では、表示装置１００とは基板の配置が異なる表示装置２００〜６００についても説明するが、これらの表示装置においても各構成要素の機能は表示装置１００と同様である。
【００２６】
（２．基板薄型化のための試行例）
続いて、図２〜図４を参照して、表示装置において基板の薄型化を試行した例について説明する。
【００２７】
（薄型化がされない状態）
図２は、基板の薄型化がされていない表示装置を示す図である。図２には、図１を参照して説明した表示装置１００が示されている。図１が表示装置１００の表示領域の一部を示す図であったのに対し、図２は表示装置１００の全体を示す図である。なお、図２では、バックライト１１０の図示は省略されている。
【００２８】
ＬＣＤ１２０については、偏光板１２１，１２６と、端子基板１２２と、対向基板１２５とが図示されている。図１では示されなかった点として、端子基板１２２は、表示装置１００の表示領域と、表示領域から張り出した端子領域とに対応する。端子基板１２２の端子領域部分には、ドライバＩＣ（Integrated  Circuit）１２７が設けられる。また、端子基板１２２の端子領域部分には、ドライバＩＣ１２７に画像信号を伝達するフレキシブル配線１２８が接続される。一方、対向基板１２５は、表示領域に対応しており、端子領域には張り出していない。
【００２９】
なお、ここで、表示領域は、必ずしも有効画素部分だけを指すのではなく、例えば貼付部分などの周囲の領域を含む。端子領域は、表示領域の外側で、後述するように回路部品や配線などが基板上に設けられる領域であり、例えば表示領域が矩形である場合、その複数の辺から張り出して設けられうる。
【００３０】
液晶レンズ１３０については、端子基板１３１と、対向基板１３３とが図示されている。図１では示されなかった点として、端子基板１３１は、表示装置１００の表示領域と、表示領域から張り出した端子領域とに対応する。端子基板１３１の端子領域部分には、ドライバＩＣが設けられうる。また、端子基板１３１の端子領域部分には、ドライバＩＣに屈折率分布パターンの信号などを伝達するフレキシブル配線１３５が接続される。一方、対向基板１３３は、表示領域に対応しており、端子領域には張り出していない。
【００３１】
上記のようなＬＣＤ１２０と液晶レンズ１３０とは、例えば樹脂層１４０を介して貼り合わされる。このとき、液晶レンズ１３０のレンズ機能面からＬＣＤ１２０の表示面までの距離ｆ１は、ＬＣＤ１２０と液晶レンズ１３０とでそれぞれ貼り合わせ面の側に位置する２枚の基板（図２の例では対向基板１２５および端子基板１３１）、および樹脂層１４０の厚さの合計とほぼ同じである。樹脂層１４０の厚さは基板の厚さに比べると薄いので、距離ｆ１に大きく影響するのは、上記の２枚の基板の厚さである。
【００３２】
従って、表示装置１００の高精細化によって液晶レンズ１３０が等価的に実現するレンズの焦点距離ｆが短くなった場合、距離ｆ１を短縮して焦点距離ｆに近づけるためには、ＬＣＤ１２０と液晶レンズ１３０とでそれぞれ貼り合わせ面の側に位置する２枚の基板（図２の例では対向基板１２５および端子基板１３１）を薄くすることが求められる。
【００３３】
（薄型化の試行−１）
ＬＣＤ１２０および液晶レンズ１３０に含まれるそれぞれの基板は、例えばガラスやプラスチックなどの透明材料で形成されるため、薄くすることは必ずしも困難ではない。そこで、図２の例においてＬＣＤ１２０と液晶レンズ１３０とでそれぞれ貼り合わせ面の側に位置していた２枚の基板、すなわち対向基板１２５および端子基板１３１を薄型化することが考えられる。
【００３４】
図３は、図２に示す表示装置における基板の薄型化の第１の試行例を示す図である。上記のような考えに基づき、表示装置２００では、ＬＣＤ２２０が薄型化された対向基板１２５ｔを含み、液晶レンズ２３０が薄型化された端子基板１３１ｔを含む。これによって、レンズ機能面から表示面までの距離は、距離ｆ１（通常の基板２枚分＋樹脂層の厚さ）から距離ｆ２（薄型化された基板２枚分＋樹脂層の厚さ）へと短縮される。
【００３５】
しかしながら、この場合、ＬＣＤ２２０の端子基板１２２と、液晶レンズ２３０の端子基板１３１ｔとの間隔が狭くなることによって、端子基板１２２の端子領域部分に設けられたドライバＩＣ１２７が、端子基板１３１ｔに接触してしまう可能性がある。一方、端子基板１３１ｔは、対向基板１３３に比べて表示領域の外側へと張り出しているにもかかわらず、薄型化されたことによって強度が低下しているため、こうした接触などによって破損してしまう場合がある。それゆえ、図３の例に示すような基板の薄型化は、必ずしも実用的とはいえない。
【００３６】
なお、以下の説明で、末尾に文字「ｔ」が付された符号によって示される基板は、文字「ｔ」が付されない符号によって示される基板と同様の機能を有する薄型化された基板を示す。また、簡単のため、薄型化された各基板（符号１２２ｔ，１２５ｔ，１３１ｔ，１３３ｔで示される）、および薄型化されていない各基板（符号１２２，１２５，１３１，１３３で示される）のそれぞれは、同程度の厚さであるものとする。実際の厚さは、それぞれの基板で異なりうる。
【００３７】
（薄型化の試行−２）
上記の第１の例では、端子基板１２２の端子領域部分に設けられるドライバＩＣ１２７と端子基板１３１ｔとが接触することが、薄型化に際しての問題になった。この問題は、例えば、ドライバＩＣ１２７が液晶レンズ２３０側に向かないようにすれば解決するとも考えられる。
【００３８】
図４は、図２に示す表示装置における基板の薄型化の第２の試行例を示す図である。上記のような考えに基づき、表示装置３００では、ＬＣＤが上下反転してＬＣＤ３２０になり、これによって貼り合わせ面の側に位置することになった端子基板１２２が薄型化されて端子基板１２２ｔになっている。一方、上記の第１の例と同様の液晶レンズ２３０は、薄型化された端子基板１３１ｔを含む。これによって、レンズ機能面から表示面までの距離は、第１の例と同じく距離ｆ２（薄型化された基板２枚分＋樹脂層の厚さ）に短縮される。
【００３９】
しかしながら、この場合、ドライバＩＣ１２７の接触による問題は生じないものの、ＬＣＤ３２０において端子基板１２２ｔが前面（観察者側）に位置することによって、端子基板１２２ｔ上に配置されるＴＦＴなどの配線による光の反射が発生し、ＬＣＤ３２０によって表示される画像の視認性が低下する。また、端子基板１３１ｔの強度が低下しているのは上記の第１の例と同様である。従って、他の何らかの衝撃によって端子基板１３１ｔが破損する可能性は依然としてある。それゆえ、図４の例に示すような基板の薄型化もまた、必ずしも実用的とはいえない。
【００４０】
（３．本開示の実施形態）
続いて、図５〜図７を参照して、本開示の実施形態に係る基板の薄型化の例について説明する。
【００４１】
（第１の例）
図５は、本開示の実施形態に係る表示装置の第１の例を示す図である。表示装置４００では、液晶レンズ１３０が上下反転して液晶レンズ４３０になり、これによって貼り合わせ面の側に位置することになった対向基板１３３が薄型化されて対向基板１３３ｔになっている。一方、ＬＣＤ１２０は、図２に示す例と同様の構成であり、特に薄型化はされていない。これによって、レンズ機能面から表示面までの距離は、距離ｆ１（通常の基板２枚分＋樹脂層の厚さ）から距離ｆ３（通常の基板１枚分＋薄型化された基板１枚分＋樹脂層の厚さ）へと短縮される（距離ｆ３＞距離ｆ２）。
【００４２】
上記の例では、液晶レンズ１３０が上下反転して液晶レンズ４３０になったことによって、端子基板１３１が貼り合わせ面の反対側に位置している。また、ＬＣＤ１２０の対向基板１２５は薄型化されておらず、図２の場合と同じ厚さを保っている。従って、ＬＣＤ１２０の端子基板１２２と液晶レンズ４３０の端子基板１３１との間には十分な間隔が確保されており、端子基板１２２の端子領域部分に設けられたドライバＩＣ１２７が端子基板１３１に接触する可能性は低い。また、端子基板１３１も薄型化されていないため、強度が確保され、何らかの衝撃があったとしても破損する可能性は比較的低い。
【００４３】
（第２の例）
図６は、本開示の実施形態に係る表示装置の第２の例を示す図である。表示装置５００では、上記の第１の実施例と同様に、液晶レンズ１３０が上下反転して液晶レンズ４３０になり、対向基板１３３が薄型化されて対向基板１３３ｔになっている。さらに、ＬＣＤ２２０は、薄型化された対向基板１２５ｔを含む。これによって、レンズ機能面から表示面までの距離は、距離ｆ２（薄型化された基板２枚分＋樹脂層の厚さ）へとさらに短縮される。
【００４４】
上記の例では、液晶レンズ４３０の対向基板１３３ｔに加えてＬＣＤ１２０の対向基板１２５ｔを薄型化したことで、第１の実施例に比べると、ＬＣＤ２２０の端子基板１２２と液晶レンズ４３０の端子基板１３１との間の距離は短くなっている。しかしながら、液晶レンズ４３０が上下反転し、端子基板１３１が貼り合わせ面の反対側に位置しているために、端子基板１２２と端子基板１３１との間の距離は、図２の場合に比べれば依然として長い。従って、例えば、端子基板１２２の端子領域部分に設けられるドライバＩＣ１２７のサイズによって、上記の第１の例または第２の例のいずれかを選択し、端子基板１２２と端子基板１３１との間に必要十分な間隔を設定することも可能である。
【００４５】
（第３の例）
図７は、本開示の実施形態に係る表示装置の第３の例を示す図である。表示装置６００では、上記の第１および第２の実施例と同様に、液晶レンズ１３０が上下反転して液晶レンズ６３０になっている。液晶レンズ６３０は、いずれも薄型化された端子基板１３１ｔと対向基板１３３ｔとを含む。また、ＬＣＤ６２０は、いずれも薄型化された端子基板１２２ｔと対向基板１２５ｔとを含む。これによって、レンズ機能面から表示面までの距離が、第２の実施例と同様の距離ｆ２（薄型化された基板２枚分＋樹脂層の厚さ）まで短縮されるとともに、表示装置全体がさらに薄型化される。
【００４６】
上記の例は、レンズ機能面から表示面までの距離の短縮という点では、上記の第２の実施例と同様であるが、これに加えて、表示装置全体の薄型化が実現できる。なお、各基板は一様に薄型化されなくてもよく、例えば端子基板１２２ｔや端子基板１３１ｔは、必要な強度を確保できる範囲で薄型化されてもよい。
【００４７】
（実施例まとめ）
以上、本開示の実施形態に係る基板の薄型化の例について説明した。これらの例に共通する点として、ＬＣＤと液晶レンズとが、互いの端子基板が貼り合わせ面の反対側になるように貼り合わされる点がある。これによって、例えば、ＬＣＤの端子基板上に設けられるドライバＩＣなどの回路部品と、液晶レンズの端子基板との干渉を防止することができる。また、ＬＣＤと液晶レンズとで互いの対向基板が貼り合わせ面の側になることによって、レンズ機能面から表示面までの距離の短縮のためにはそれぞれの対向基板を薄型化すればよくなる。従って、表示領域から張り出した端子領域を有する端子基板については、必ずしも薄型化しなくてもよく、必要な強度を確保することが容易になる。もちろん、第３の例のように、可能である場合には端子基板をも薄型化してもよい。
【００４８】
（４．本開示の他の実施形態）
上記の実施形態では、表示装置におけるＬＣＤと液晶レンズとの貼り合わせ構造の実施形態について説明したが、本開示の実施形態はこれには限られない。例えば、立体表示装置や指向性表示装置で光分離部としてパララックスバリアを用いる場合にも、表示装置の高精細化によってバリアピッチが短くなり、その結果バリア機能面（液晶表示素子などでバリアの透過部と遮光部とが表示される面）とＬＣＤの表示面との間の距離を短縮する必要が生じる。この場合にも、本開示の実施形態に係る貼り合わせ構造を適用することによって、バリア機能面と表示面との間の距離を短縮することが可能である。
【００４９】
また、本開示の実施形態の適用範囲は、上記のような液晶表示素子を用いた表示装置には限られない。表示素子は、端子基板と対向基板とを有するものであれば、液晶表示素子には限られない。また、表示素子以外にも、端子基板と対向基板とを有する任意の素子同士を張り合わせる場合について、本開示の実施形態は有効でありうる。
【００５０】
（電子機器）
図８は、本開示の実施形態に係る電子機器の構成を示す概略的なブロック図である。上記の各実施形態で説明したような表示装置は、電子機器に組み込むことが可能である。かかる電子機器も、本開示の実施形態に包含される。
【００５１】
図１４を参照すると、電子機器１０は、表示装置４００、制御回路１１、操作部１２、記憶部１３、および通信部１４を含む。電子機器１０は、例えば、テレビジョン、携帯電話（スマートフォン）、デジタルカメラ、パーソナルコンピュータなど、表示部として表示装置４００を有する何らかの機器である。
【００５２】
制御回路１１は、例えばＣＰＵ（Central  Processing  Unit）、ＲＡＭ（Random  Access  Memory）、およびＲＯＭ（Read  Only  Memory）などによって構成され、電子機器１０の各部を制御する。表示装置４００も、この制御回路１１によって制御される。
【００５３】
操作部１２は、例えばタッチパッド、ボタン、キーボード、またはマウスなどによって構成され、電子機器１０に対するユーザの操作入力を受け付ける。制御回路１１は、操作部１２が取得した操作入力に従って電子機器１０を制御する。
【００５４】
記憶部１３は、例えば半導体メモリ、磁気ディスク、または光ディスクなどによって構成され、電子機器１０が機能するために必要な各種のデータを格納する。制御回路１１は、記憶部１３に格納されたプログラムを読み出して実行することによって動作してもよい。
【００５５】
通信部１４は、付加的に設けられる。通信部１４は、有線または無線のネットワーク２０に接続される通信インターフェースであり、例えばモデムやポート、またはアンテナなどによって構成される。制御回路１１は、通信部１４を介して、ネットワーク２０からデータを受信し、またネットワーク２０にデータを送信する。
【００５６】
以上、電子機器１０の構成について説明した。なお、上記の例では表示装置４００が電子機器１０に組み込まれているが、同様に、表示装置５００，６００を表示装置に組み込むことも可能である。
【００５７】
（５．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５８】
なお、以下のような構成も本開示の技術的範囲に属する。
（１）表示領域ならびに該表示領域から張り出した端子領域に対応する第１の端子基板、および前記表示領域に対応する第１の対向基板を含む第１の表示素子と、
前記表示領域ならびに前記端子領域に対応する第２の端子基板、および前記表示領域に対応する第２の対向基板を含む第２の表示素子と
を備え、
前記第１表示素子および前記第２の表示素子は、前記第１の端子基板および前記第２の端子基板がいずれも貼り合わせ面の反対側になるように貼り合わされる表示装置。
（２）前記第１の端子基板は、前記端子領域に対応する部分の前記張り合わせ面側に回路部品を有する、前記（１）に記載の表示装置。
（３）前記第１の表示素子は、画像を表示する表示部として機能し、
前記第２の表示素子は、光を空間的に分離させることによって前記表示部に表示される画像を分割する光分離部として機能する、前記（２）に記載の表示装置。
（４）前記第１の表示素子は、ＬＣＤ（Liquid  Crystal  Display）である、前記（３）に記載の表示装置。
（５）前記第２の表示素子は、液晶レンズである、前記（３）または（４）に記載の表示装置。
（６）前記第２の表示素子は、パララックスバリアである、前記（３）または（４）に記載の表示装置。
（７）前記第１の対向基板は、前記第１の端子基板よりも薄い、前記（１）〜（６）のいずれか１項に記載の表示装置。
（８）前記第２の対向基板は、前記第２の端子基板よりも薄い、前記（１）〜（７）のいずれか１項に記載の表示装置。
（９）表示領域ならびに該表示領域から張り出した端子領域に対応する第１の端子基板、および前記表示領域に対応する第１の対向基板を含む第１の表示素子と、
前記表示領域ならびに前記端子領域に対応する第２の端子基板、および前記表示領域に対応する第２の対向基板を含む第２の表示素子と
を有し、
前記第１表示素子および前記第２の表示素子は、前記第１の端子基板および前記第２の端子基板がいずれも貼り合わせ面の反対側になるように貼り合わされる表示装置
を備える電子機器。
（１０）機能領域ならびに該機能領域から張り出した端子領域に対応する第１の端子基板、および前記機能領域に対応する第１の対向基板を含む第１の素子と、
前記機能領域ならびに前記端子領域に対応する第２の端子基板、および前記機能領域に対応する第２の対向基板を含む第２の素子とが、前記第１の端子基板および前記第２の端子基板がいずれも貼り合わせ面の反対側になるように貼り合わされる貼り合わせ構造。
【符号の説明】
【００５９】
１００，２００，３００，４００，５００，６００    表示装置
１１０    バックライト
１２０，２２０，３２０，６２０    ＬＣＤ
１２２    端子基板
１２２ｔ    （薄型化された）端子基板
１２３    液晶層
１２４    カラーフィルタ
１２５    対向基板
１２５ｔ    （薄型化された）対向基板
１２７    ドライバＩＣ
１３０，２３０，４３０，６３０    液晶レンズ
１３１    端子基板
１３１ｔ    （薄型化された）端子基板
１３３    対向基板
１３３ｔ    （薄型化された）対向基板
１０    電子機器
【図１】
2013182186.tif 000003
【図２】
2013182186.tif 000004
【図３】
2013182186.tif 000005
【図４】
2013182186.tif 000006
【図５】
2013182186.tif 000007
【図６】
2013182186.tif 000008
【図７】
2013182186.tif 000009
【図８】
2013182186.tif 000010